(57)【要約】【目的】水道カランの弁開閉度を数値的に承知できるようにして、吐出水量の規制や節約ができる給水栓装置を簡単な構成手段で、既設のカランに対応できる装置を提供する。【構成】給水栓の吐出水量をハンドルの回転操作で調節する給水栓装置てあって、このハンドルの回転操作を小刻み一時保留（クリック式）するように構成して、水の吐出水量とハンドル回転操作クリック数を感知できるようにしたもので、弁開閉作動軸と一体的に回動する部材と、この作動軸と別に不回転に保持される部材との間に、弾発突出係留部を配置すると共に該突出係留の突出部材は対応部材に形成した溝に一時係留されるようにしたものである。【選択図】図１
2004257223.tif 000002
【特許請求の範囲】
【請求項１】
給水栓の吐出水量をハンドルの回転操作で調節する給水栓装置であって、該ハンドルの回転操作を小刻みに一時係留するように構成して、水の吐出水量とハンドル回転小刻み係留数を感知できるように構成したことを特徴とする給水栓装置。
【請求項２】
給水栓の吐出水量調節ハンドルの回転を小刻みに一時係留する構成は、既設給水栓のパッキング押さえねじ管の周辺に嵌合して、不回転に保持される胴部材と、該胴部材の周辺に設けた溝と、ハンドルと一体的に移動する係留部材とによって構成されたものである請求項１記載の給水栓装置。
【請求項３】
給水栓の吐出水量調節ハンドルの回転を小刻みに一時係留する構成は、弁作動軸の先端側に嵌挿された係合部材を、中心部に係合して回転されるハンドルの胴部周りに形成した溝と、既設カランの一部に取り付けた係留部材とによって構成されたものである請求項１記載の給水栓装置。
【発明の詳細な説明】
【０００１】
【産業上の利用分野】
給水栓を利用して水等を利用する一般家庭は勿論のこと、給水栓を備えた工事現場や事業所等で広く利用されるものであり、給水栓装置を製造販売する取り扱い業者で広く利用されるものである。
【０００２】
【従来の技術】
給水栓を利用して水を得、吐出水量を調節することはよく知られている。また一般の給水栓では弁座を上下移動して吐出水量を調節する弁ハンドルが設けられており、このハンドルを弁締め付け側に回転して吐出水を停止し、緩め側に回転して水を出すことも良くしられている。ところで資源の節約や、節水等で吐出水量を調整したり、あるいは特定の吐出水量を維持する必要がある場合がある。しかるに従来の弁ハンドルでは特定の吐出水量を維持するには、吐出水量を見てハンドルの締め加減を調整している。
【０００３】
【発明が解決しようとする課題】
そこで本発明者は、給水栓の弁座開閉回転作動を、小刻みに一時保留するようにすれば、小刻みの数を感知して弁座の開閉程度を知ることができ、適当な吐出水量を直ちに設定できること、また予め小刻み一時保留数を設定しておけば、適当な吐出水量を維持できることに着目して本発明に至ったものである。
【０００４】
【課題を解決するための手段】
給水栓の吐出水量をハンドルの回転操作で調節する給水栓装置てあって、該ハンドルの回転操作を小刻み一時保留するように構成して、水の吐出水量とハンドルの回転小刻み保留数を感知できるように構成したものである。
【０００５】
【実施例】
以下図面に基づいて本発明を詳細に説明するが、図は本発明の具体的な実施の一例を示したもので本発明は図示例に限定されず、以下説明する趣旨に沿って一部の構成を変更したり或いは一部の設計を変更しても同様に実施することができるものである。
【０００６】
図１（側面図）は本発明に係る給水栓装置１を示し、図２（正面図）は図１の右側を、図３（平面図）は図１の上側を示している。図４（断面図）は図２の切断線Ａ−Ａに沿う矢印方向を示したものである。これらの図において、本発明給水栓装置１は従来一般に利用されているカラン２に取り付けて構成したものを示しており、３は円形の胴部３ａの上面側から、一方方向に一体的に延びたハンドルで適当な長さとすると共に適当な形状とすることができる。そして該ハンドル３の根元側で胴部３ａとの交差部には、係留部５を一体的に設けている。４はハンドル３の止めねじである。
【０００７】
他方このハンドル３は図４及び図６（ハンドル３の下面側を示す底面図）に示すように、円形の胴部３ａの内側に円溝３ｆを形成すると共に嵌合部３ｂを形成している。そして該嵌合部３ｂの芯部には六角の嵌合凹部３ｃを形成し、その中心に止めねじ４の貫通穴３ｄを形成している。
【０００８】
他方胴部材６は図４及び図５（一部破断側面図）に示すように、上部側には開放した内腔部６ｃを形成し、下部側には既設カラン２の軸筒部２ａに螺装したパッキング押さえナット２ｂに嵌合する凹部６ｂを形成している。またこの嵌合凹部６ｂと前記嵌合凹３ｃとの間には、内側に突出させた壁部を形成し、その中心に軸支孔６ｅを形成している。そしてこの軸支孔６ｅは既設カランの弁作動軸８を挿通する孔としている。またこの壁部の下部側は傾斜面とし、図４に示すようにパッキング押さえナット２ｂで支持されると共に不回転に支持されている。またこの胴部材６の外周で、前記壁部対応部には円周溝６ａを形成している。他方胴部材６の前記内腔部６ｃの外周には多数の溝６ｄを形成しており、この溝６ｄは丸形の底面で且つ等ピッチで設けたものを示したが、山形溝としたり、外周面の一部に設けたり、変則ピッチで形成してもよい。
【０００９】
他方図４に示す係合部材７は図７（一部破断見取図）に示すように、前記ハンドル３の嵌合凹部３ｃに嵌合する六角の周面を形成している。そしてその内側には下方にのみ開放された穴を形成すると共に該穴の内周面には等ピッチの突条７ｂを形成している。他方図７に示した弁作動軸８の頂部には図示するように周面に凹溝８ａを形成しており、この凹溝８ａに前記係合部材７に形成した突条７ｂが互いに嵌合するようになっている。従って係合部材７は既設の弁作動軸８に係合し、係合部材７の回動によってのみ弁作動軸８が回転される。また係合部材７の上面には天穴７ａを形成しており、該穴７ａは止めねじ４（図４）を通して弁軸８に形成したねじ孔８ｂに螺合するようになっている。
【００１０】
そしてこれらの組付けは図４に示すように、既設カランの止めねじ４を取り外して既設ハンドル（図示せず）を取り除き、前記した胴部材６を配置する。次いで弁軸８の頂部に嵌合する係合部材７を取り付けて、係合部材７の回転が弁軸８の回転となるように構成する。次いでハンドル３の前記嵌合凹部３ｃを係合部材７に覆うように嵌合させると共にハンドル３の前記円溝３ｆに、胴部材６の上縁部を配置する。そしてハンドル３の嵌合凹部３ｃの中心部に形成した天穴３ｄに止めねじ４を通して、弁軸８のねじ孔８ｂに螺装する。
【００１１】
他方ハンドル３とこの胴部３ａとの交差部に形成した前記係留部５には、ボール９を納める穴を形成してボールを配すると共に押しばね９ａを介し、該穴の入口側に形成した螺部にねじ蓋１０を螺合配置する。従ってこのねじ蓋１０の締め込み程度によって、ばね９ａを介してホール９の突出押し付け圧力を調整することができるようになっている。なおこれらの係留部５としては、ボール９に替えて弾発ばね等の突出部材で構成したり、押しばね９ａの先端部に球状先端部材を配設して構成したものであってもよい。またハンドル３の胴部３ｄの下縁側には、係留ねじ１１，１１を設けて、胴部材６の外周に形成した前記円周溝６ａにその先端側を臨ませておく。これはとめねじ４を外してハンドル３を離脱したとき胴部材６も共に離脱できるようにしたものであり省略してもよい。
【００１２】
このように構成する本発明給水栓装置では、ハンドル３の回動によって係留部材７を積極的に回動させ、これによって弁軸８を回転させてカラン２から水を出すことができると共に、このハンドルの回動はこれに内装している胴部材６が不回転に保持されているため、前記係留部５のボール９と胴部材に形成した前記溝６ｄとによって、小刻み一時保留（クリック）し、このクリック感触はハンドルを介して手に感応し、その数を感知することができる。またこのクリック数は弁座の開閉度に関連すると共に吐出水量の多少に関連するものである。
【００１３】
図８（側面図）、図９（図８の平面図）及び図１０（図９の切断線Ｂ−Ｂに沿う矢印方向断面図）図１１（図８の右側側面図）は、本発明の他の実施例を示したもので、特に前記した実施例の胴部材６を無くして構成すると共に係留部を既設カラン２の軸筒部２ａに取り付けて構成し、更に係合部材７とハンドル３の組み合わせを変えて構成を簡単にしたものである。
【００１４】
これらの図において、前記係合部材７は図１０及び図１３（一部破断見取図で図１０の一部組立を展開して示す見取図）に示すように、前記六角周面を形成した係合部材７の底側に突出段部７ｃを形成して、ハンドル３を支えるよになっている。即ちハンドル３としては、その胴部３ａに形成する嵌合凹部３ｃを図１３に示すように天井に貫通して形成し、係合部材７で支えられるようになっている。そしてこの実施例ではハンドル３の胴部３ａの頂面には冠体１２を配置し、この冠体１２の頂部中央に形成した天穴１２ａを通して前記止めねじ１４を弁軸８のねじ孔８ｂに螺装する。なお係合部材７の内側に形成した突状７ｂと弁軸８の上部外周に形成した突状８ａとは互いに咬み合って、係合部材７の回動と弁軸８の回転は一致するようになっている。なお弁軸８の直径寸法は製造会社によって異なり、軸端の突状も異なることがあるので、前記係合部材７としては各種カランの弁軸に対応するものを準備して利用するものである。
【００１５】
他方ハンドル３の胴部３ａの外周下側には図８及び図１３に示すように溝３ｅが設けられており、この溝３ｅは後述する係留部１３から突出付勢されたボール９の係留溝となっている。またこの溝３ｅとしては円形の底面を示しているが、鋸歯状としたり或いは適当な形の溝であってもよい。またその配置は全周面に等ピッチで設けたものを示したが、周面の一部にのみ設けて構成したり、或いはピッチを適当に変化させて設けてもよい。
【００１６】
他方係留部１３は、図８及び図１２（図１０の切断線Ｃ−Ｃに沿う矢印方向断面図）に示すように、既設カラン２の軸筒部２ａの外周に締め付け輪帯１４，１４によって取り付けられており、図示例では係留部１３の下部に段部を形成してこの段部の両側にそれぞれ締め付け輪帯１４の端を貫通ボルトで取り付け、互いに軸筒部２ａを囲んで先端側で締め付けて構成したものを示したが、他の適当な手段で取り付けてもよい。また必要によっては軸筒部２ａの外周の一部に、台座を溶接してこの台座に係留部１３を設けるように構成してもよい。そしてこの係留部１３には、先に述べた実施例と同様にボール９、ばね９ａ、止めねじ蓋１０を設けるが、前記したように他の係留手段で構成してもよい。
【００１７】
図１４（一部破段見取図）は図１３て示した冠体１２の他の構成例で、ハンドル３の胴部３ａを深く蔽い、溝３ｅを露呈させると共に周辺の一部にハンドル３の柄部を納める溝１２ｄを形成している。なお図示しないがこのように形成する冠体１２では裾部１２ｃ（図１４）が長く形成されると共に胴部３ａと一体的に回動するので、胴部３ａに形成した前記溝３ｅを冠体１２の裾部１２ｃのボール対応部に溝や窓孔を形成してクリックするように構成してもよい。また必要によっては溝を他の帯状材に鋸歯状や山形突条を形成して、この帯状材を胴部３ａのボール対応部に接合して構成してもよい。
【００１８】
【発明の効果】
本発明給水栓装置はこのように構成したから、水道出口の吐出水量調整回転操作ハンドルの回転を一時係留するクリック式にしたから、回転操作においてクリック数を手を通じて感知することができる。そしてこのクリック数を覚えておけば、吐出水量とクリック数を関連させることができ、節水度や吐出水量を予め設定することができる。またこの装置は簡単に構成され、従来利用されている既設のカランに簡単に取り付けることができる。
【図面の簡単な説明】
【図  １】本発明を実施した給水栓装置の側面図。
【図  ２】図１の右側側面図。
【図  ３】図１の平面図。
【図  ４】図２の切断線Ａ−Ａに沿う矢印方向要部断面図。
【図  ５】胴部材の一部破断側面図。
【図  ６】ハンドル３の下面（図４において）を示す底面図。
【図  ７】係合部材の構成及び組付けを示す一部破段見取図。
【図  ８】本発明の他の構成例を示す側面図。
【図  ９】図８の平面図。
【図１０】図９の切断線Ｂ−Ｂに沿う矢印方向断面図。
【図１１】図８の右側側面図。
【図１２】図１０の切断線Ｃ−Ｃに沿う矢印方向断面図。
【図１３】図１０の要部構成部材の一部破断展開見取図。
【図１４】冠体の他の構成例を示す一部破断見取図。
【符号の説明】
１    給水栓装置。  １ａ  他の構成による給水栓装置
２    既設カラン、  ２ａ  軸筒部、  ２ｂ  パッキング押さえナット。
３    ハンドル、    ３ａ  胴部、    ３ｂ  嵌合部、  ３ｃ  嵌合凹部
３ｄ  天穴、    ３ｅ  溝、      ３ｆ  円溝、
４    止めねじ。
５    係留部。
６    胴部材、      ６ａ  円周溝    ６ｂ  凹部、    ６ｃ  内腔部
６ｄ  溝
７    係合部材、    ７ａ  天穴、    ７ｂ  突条      ７ｃ  突出段部
８    弁作動軸、    ８ａ  凹溝、    ８ｂ  ねじ孔
９    ボール、      ９ａ  ばね、
１０    止めねじ蓋、
１１    係留ねじ、
１２    冠体、      １２ａ  天孔、    １２ｂ  冠体の他の構成例、
１２ｃ  裾部、    １２ｄ  ハンドル通し溝、
１３    係留部、    １３ａ  細幅部、
１４    締め付け輪帯、
【図１】
2004257223.tif 000003
【図２】
2004257223.tif 000004
【図３】
2004257223.tif 000005
【図４】
2004257223.tif 000006
【図５】
2004257223.tif 000007
【図６】
2004257223.tif 000008
【図７】
2004257223.tif 000009
【図８】
2004257223.tif 000010
【図９】
2004257223.tif 000011
【図１０】
2004257223.tif 000012
【図１１】
2004257223.tif 000013
【図１２】
2004257223.tif 000014
【図１３】
2004257223.tif 000015
【図１４】
2004257223.tif 000016